(57)【要約】  折り畳まれた状態から簡易に立ち上げることができ、立ち上げ後でも安定的な形状保持が可能な表示具を提供する。表示具は、表示面部と、背面部と、安定面部と、脚部と、底面部と、を備える。表示面部は、起立状態で配置される。背面部は、背面部の上端縁と表示面部の上端縁とが互いに接続され、上端縁から下端縁に向かって表示面部との距離が徐々に拡がるように表示面部の背部に配置される。安定面部は、背面部の下端縁の一部から背面部に沿って下方に突出している。脚部は、背面部の下端縁の他の部分から、背面部よりも緩やかな傾斜で下方に突出している。底面部は、表示面部の下端縁と脚部の下端縁とに接続される。そして、安定面部は、安定面部の下端縁が底面部の上面に当接した状態で配置される。
2017002303.tif 000002
【特許請求の範囲】
【請求項１】
起立状態で配置される表示面部と、
前記表示面部と上端縁どうしが接続され、上端縁から下端縁に向かって前記表示面部との距離が徐々に拡がるように前記表示面部の背部に配置される背面部と、
前記背面部の下端縁の一部から前記背面部に沿って下方に突出した安定面部と、
前記背面部の下端縁の他の部分から、前記背面部よりも緩やかな傾斜で下方に突出した脚部と、
前記表示面部の下端縁と前記脚部の下端縁とに接続される底面部と、を備え、
前記安定面部の下端縁は、前記底面部の上面に当接した状態で配置される、
表示具。
【請求項２】
前記表示面部と前記背面部、前記表示面部と前記底面部、および前記脚部と前記底面部とは、それぞれ外向きに凸となるように互いに接続され、前記背面部と前記脚部とは内向きに凸となるように互いに接続される、
請求項１に記載の表示具。
【請求項３】
前記底面部は、
前記表示面部の下端縁に接続され、前記脚部の方向に延伸して配置される第一底面部と、
前記脚部の下端縁に接続され、前記表示面部の方向に延伸し、前記第一底面部の下方に重ねて配置される第二底面部と、を備え、
前記安定面部の下端縁部は、前記第一底面部の端縁と当接し、前記安定面部の下端縁は、前記第二底面部の上面に当接する、
請求項１に記載の表示具。
【請求項４】
前記表示面部は、
前記背面部と接続される第一表示面部と、
前記底面部と接続され、前記第一表示面部と面の方向が異なる第二表示面部と、を備える、
請求項１に記載の表示具。
【請求項５】
前記表示面部と前記背面部、前記背面部と前記脚部、前記表示面部と前記底面部、および前記脚部と前記底面部とは、それぞれが曲げ戻し可能に互いに接続され、
前記表示面部の上端縁から下端縁までの長さは、前記背面部の上端縁から下端縁までの長さと前記安定面部の上端縁から下端縁までの長さの和以上である、
請求項１に記載の表示具。
【請求項６】
前記表示面部と前記背面部、前記背面部と前記脚部、前記表示面部と前記底面部、および前記脚部と前記底面部とは、それぞれが曲げ戻し可能に互いに接続され、
前記表示面部の上端縁から下端縁までの長さは、前記背面部の上端縁から下端縁までの長さと前記安定面部の上端縁から下端縁までの長さの和以上であり、
前記底面部の前記表示面部から前記脚部までの長さは、前記安定面部の上端縁から下端縁までの長さと前記脚部の上端縁から下端縁までの長さの和以上である、
請求項１に記載の表示具。
【請求項７】
一枚の薄板状の基礎部材の一部において、
前記表示面部が幅方向に延びて配置され、
前記背面部は、前記表示面部と山折り線を介して接続され、
前記安定面部は、前記表示面部の反対側の前記背面部の一部に接続され、
前記脚部は、前記表示面部の反対側の前記背面部の他の部分に谷折り線を介して接続され、
前記基礎部材の幅方向に並んで配置される前記安定面部と前記脚部とは互いに分断され、
前記底面部は、前記脚部、または、前記表示面部の少なくとも一方に山折り線を介して接続され、
前記基礎部材が、前記山折り線、および、前記谷折り線で折り曲げられることにより形成される、
請求項１に記載の表示具。
【発明の詳細な説明】
【技術分野】
【０００１】
本開示は、商品等の情報を提示する表示具に関する。
【背景技術】
【０００２】
店頭や展示会において、簡易的な表示具が用いられる場合がある。その表示具は、例えば、商品等の傍に載置され、商品等の説明が記載されるポップ広告等に使用される。これらの表示具は、様々な商品が店頭にて展示されている場合に、商品を訴求する重要な役割を果たす。【０００３】
例えば、特許文献１には、立脚板と称される表示具が開示されている。この表示具は、折り畳まれた状態で運搬等が行われ、折り畳まれたものが展開されて店頭等に設置される。
【先行技術文献】
【特許文献】
【０００４】
【特許文献１】実開昭６０−９８４７４号公報
【発明の概要】
【０００５】
本開示は、折り畳まれた状態から簡易に立ち上げることができ、立ち上げ後でも安定的な形状保持が可能な表示具を提供する。
【０００６】
本開示における表示具は、表示面部と、背面部と、安定面部と、脚部と、底面部と、を備える。表示面部は、起立状態で配置される。背面部は、背面部の上端縁と表示面部の上端縁とが互いに接続され、上端縁から下端縁に向かって表示面部との距離が徐々に拡がるように表示面部の背部に配置される。安定面部は、背面部の下端縁の一部から背面部に沿って下方に突出している。脚部は、背面部の下端縁の他の部分から、背面部よりも緩やかな傾斜で下方に突出している。底面部は、表示面部の下端縁と脚部の下端縁とに接続される。そして、安定面部は、安定面部の下端縁が底面部の上面に当接した状態で配置される。
【０００７】
本開示における表示具は、折り畳まれた状態から簡易に立ち上げることができ、立ち上げ後でも安定的な形状保持が可能である。
【図面の簡単な説明】
【０００８】
【図１】図１は、実施の形態１における表示具の一例を正面側から模式的に示す斜視図である。
【図２】図２は、実施の形態１における表示具の一例を背面側から模式的に示す斜視図である。
【図３】図３は、実施の形態１における表示具の一例を側方から模式的に示す平面図である。
【図４】図４は、実施の形態１における折り畳まれた状態の表示具の一例を側方から模式的に示す断面図である。
【図５】図５は、実施の形態１における表示具を形成するための基となる基礎部材の一例を模式的に示す平面図である。
【発明を実施するための形態】
【０００９】
（課題の詳細）
従来の表示具は、折り畳まれた状態から立ち上げるまでに手間がかかり、設置が非常に煩わしいものであった。また、従来の表示具は、いわゆる折り癖のために、立ち上げた状態の表示具の形状を保持することが困難な場合もあった。以上の理由により、従来の表示具は、店頭で、立ち上げられることもなく折り畳まれた状態で置かれていることも多く、表示具としての十分な訴求効果が得られていないこともあった。
【００１０】
（実施の形態１）
以下、適宜図面を参照しながら、本開示に係る表示具の実施の形態について説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１１】
なお、以下の実施の形態は、本開示に係る表示具の一例を示したものに過ぎない。また、添付図面および以下の説明は、当業者が本開示を十分に理解するために提供されるのであって、これらにより特許請求の範囲に記載の主題を限定することは意図されていない。したがって、本開示は、以下の実施の形態を参考に請求の範囲の文言によって範囲が画定されるものであり、以下の実施の形態のみに限定されるものではない。よって、以下の実施の形態における構成要素のうち、本開示の最上位概念を示す独立請求項に記載されていない構成要素については、本開示の課題を達成するのに必ずしも必要ではないが、より好ましい形態を構成するものとして説明される。
【００１２】
また、各図面は、必ずしも厳密に図示されたものではない。各図面は、本開示を示すために適宜強調や省略、比率の調整を行った模式的な図となっており、実際の形状や位置関係、比率とは異なる場合がある。また、各図面において、実質的に同じ構成要素については同じ符号を付し、説明を省略または簡略化する場合がある。
【００１３】
［１−１．構造］
図１は、実施の形態１における表示具１００の一例を正面側から模式的に示す斜視図である。
【００１４】
図２は、実施の形態１における表示具１００一例を背面側から模式的に示す斜視図である。
【００１５】
図３は、実施の形態１における表示具１００一例を側方から模式的に示す平面図である。
【００１６】
これらの図１〜図３に例示されるように、表示具１００は、商品（図示せず）の傍らや商品の上等に載置され、商品に関する情報等を視認可能に提示する標示物である。表示具１００は、表示面部１０１と、背面部１０２と、安定面部１０３と、脚部１０４と、底面部１０５と、を備えている。
【００１７】
表示面部１０１は、文字や記号、絵、写真等の情報が、少なくとも表面に表示される部分である。なお、図１に示す表示面部１０１に表示された情報は単なる一例であり、店頭等では商品に関する情報等が表示面部１０１に表示される。また、表示面部１０１は、表示具１００において前側（客等に提示される側）に配置され、起立状態で配置される部分である。なお、起立状態とは、表示面部１０１が設置面（表示具１００が設置される面）に対して垂直（９０度）に立つ場合だけでなく、表示面部１０１が設置面に対して４５度以上、９０度未満の傾斜で斜め上を向くような場合や、表示面部１０１が設置面に対して９０度より大きく１２０度以下の傾斜で斜め下を向くような場合も含まれる。
【００１８】
本実施の形態において、表示面部１０１は、第一表示面部１１１と、第二表示面部１１２と、を備えている。第一表示面部１１１は、背面部１０２と接続される。第二表示面部１１２は、底面部１０５と接続され、第一表示面部１１１とは面の方向（設置面に対する角度）が異なる。また、第一表示面部１１１と第二表示面部１１２とは、補助谷折り線１６５を介して互いに接続されており、その接続箇所は内向き（表示具１００の内部方向。図３参照）に凸状態となっている。
【００１９】
このように、表示面部１０１を互いに異なる方向を向く２つの面で構成することで、表示具１００を見る者（看取者。例えば、客等）の関心をより強く引き付けることができる。また、例えば第一表示面部１１１に表示される情報のカテゴリーと第二表示面部１１２に表示される情報のカテゴリーとを互いに異なるものとすることも可能であり、これにより看取者により強い印象を与えることもできる。
【００２０】
なお、第一表示面部１１１と第二表示面部とは、補助山折り線を介して互いに接続されてもよく、その接続箇所が外向き（表示具１００の外部方向）に凸状態となってもよい。
【００２１】
背面部１０２は、表示面部１０１の上端縁を支持する部分である。また、背面部１０２は、背面部１０２の上端縁と表示面部１０１の上端縁とが互いに接続され、上端縁から下端縁に向かって表示面部１０１との距離が徐々に拡がるように傾斜した状態で表示面部１０１の背部に配置される部分である。
【００２２】
本実施の形態において、表示面部１０１と背面部１０２とは、第二山折り線１６２（図５参照）を介して曲げ戻し可能に互いに接続されており、その接続箇所は外向き（表示具１００の外部方向。図３参照）に凸状態となっている。
【００２３】
安定面部１０３は、背面部１０２の下端縁の一部から背面部１０２に沿って下方に突出した部分である。安定面部１０３の下端縁は、底面部１０５の上面に当接した状態で配置されている。安定面部１０３の下端縁が底面部１０５に当接することで、安定面部１０３は、背面部１０２を介して表示面部１０１の上端縁をしっかりと支えることが可能となる。したがって、表示具１００は、表示面部１０１の形状や起立状態を安定的に維持することが可能となる。
【００２４】
本実施の形態において、安定面部１０３は、背面部１０２と一体であり、また、背面部１０２と実質的に同一平面（面一）となっている。
【００２５】
脚部１０４は、背面部１０２の下端縁の、安定面部１０３が取り付けられている部分を除く部分である他の部分から、背面部１０２よりも緩やかな傾斜で下方に突出した部分である。本実施の形態において、安定面部１０３の幅は、背面部１０２の幅よりも狭く設定されている。また、安定面部１０３は、背面部１０２の下端縁の中央付近に設けられている。そして、脚部１０４は、安定面部１０３の両側（幅方向の両側）にそれぞれ設けられている。
【００２６】
底面部１０５は、表示具１００を載置する場合に、テーブルの上面や商品の上面等の設置面と接触する部分である。また、底面部１０５は、表示面部１０１（第二表示面部１１２）の下端縁と互いに接続され、かつ脚部１０４の下端縁と互いに接続される部分である。
【００２７】
本実施の形態において、表示面部１０１（第二表示面部１１２）と底面部１０５とは、第三山折り線１６３（図５参照）を介して曲げ戻し可能に互いに接続されており、その接続箇所は外向き（表示具１００の外部方向。図３参照）に凸状態となっている。脚部１０４と底面部１０５とは、第一山折り線１６１（図５参照）を介して曲げ戻し可能に互いに接続されており、その接続箇所は外向き（表示具１００の外部方向。図３参照）に凸状態となっている。
【００２８】
底面部１０５は、第一底面部１５１と、第二底面部１５２と、を備えている。第一底面部１５１は、表示面部１０１（第二表示面部１１２）の下端縁に第三山折り線１６３を介して接続され、脚部１０４の方向に延伸して配置される（図３参照）。第二底面部１５２は、脚部１０４の下端縁に第一山折り線１６１を介して接続され、表示面部１０１の方向に延伸し、第一底面部１５１の下方に重ね合わされた状態で配置される（図３参照）。そして、第一底面部１５１と第二底面部１５２とは、互いに重ね合わされた部分が、接続部材で互いに接続されている（図３参照）。接続部材は、例えば、接着剤、両面テープ、鳩目、またはステープラー、等である。接続部材は、化学的または物理的に、第一底面部１５１と第二底面部１５２とを互いに接続できるものであればよい。本実施の形態において、接続部材は特に限定されない。
【００２９】
これにより、底面部１０５の重量を増加させることができ、表示具１００を、安定した状態で設置面に載置することが可能となる。
【００３０】
以上により、表示具１００は、各折り線部分が頂点に対応した多角形の環状となっている。
【００３１】
また、安定面部１０３の下端縁部は、第一底面部１５１の端縁と当接し（図３参照）、安定面部１０３の下端縁は、第二底面部１５２の上面に当接している（図３参照）。
【００３２】
ここで、安定面部１０３の下端縁部とは、安定面部１０３の下端縁を含み、下端縁の近傍も含む領域のことである。端縁とは、縁の部分のことである。
【００３３】
上述したように、背面部１０２と脚部１０４とは、第一谷折り線１６４（図５参照）を介して曲げ戻し可能に互いに接続されており、その接続箇所は内向き（表示具１００の内部方向。図３参照）に凸状態となっている。また、脚部１０４と第二底面部１５２とは、第一山折り線１６１（図５参照）を介して曲げ戻し可能に接続されている。また、背面部１０２と脚部１０４とは、内向き（表示具１００の内部方向。図３参照）に凸状態となるように互いに接続されている。また、脚部１０４と第二底面部１５２とは、外向き（表示具１００の外部方向。図３参照）に凸状態となるように互いに接続されている。
【００３４】
そして、以上の構造、および、接続部分のいわゆる折り癖に基づく付勢力により、脚部１０４は、背面部１０２を介して安定面部１０３を下方向に押し下げる。一方、安定面部１０３は、第一底面部１５１と第二底面部１５２との重ね合わせにより生じる段差の部分に係合するため（図３参照）、位置がずれにくい。したがって、底面部１０５の段差部分から脚部１０４までと、脚部１０４と、安定面部１０３と、で張力（テンション）がかかった三角形が形成される（図３参照）。これにより、表示具１００では、表示具１００全体の形状を、当該三角形により立ち上げられた状態で安定に維持することができる。
【００３５】
また、本実施の形態に示す表示具１００において、表示面部１０１の上端縁から下端縁までの長さＬ１（図５参照）は、背面部１０２の上端縁から下端縁までの長さと安定面部１０３の上端縁から下端縁までの長さとの和Ｌ２（図５参照）以上に設定されている。また、底面部１０５における表示面部１０１の下端縁（第二表示面部１１２の下端縁）から脚部１０４の下端縁までの長さＬ３（図３参照）は、安定面部１０３の上端縁から下端縁までの長さＬ４（図５参照）と脚部１０４の上端縁から下端縁までの長さＬ５（図５参照）との和（Ｌ４＋Ｌ５）以上に設定されている。また、長さＬ５は、長さＬ４よりも長くなるように設定されている（図５参照）。
【００３６】
図４は、実施の形態１における折り畳まれた状態の表示具１００の一例を側方から模式的に示す断面図である。
【００３７】
表示具１００の各寸法を上述したような関係にすることにより、立ち上がった表示具１００が折り畳まれるときに、表示具１００の環形状が維持されたままで、表示具１００を、図４に示すようなほぼ平板状態となるまで折り畳むことが可能となる。
【００３８】
したがって、商品等と共に表示具１００が搬送される際は、表示具１００は、折り畳まれた状態で搬送されることが可能である。これにより、表示具１００が搬送されるときの省スペース化を図ることができる。また、表示具１００が利用される際は、折り曲げ加工や糊付け等は必要ではなく、使用者は表示具１００を簡単に立ち上げることが可能となる。さらに、立ち上げられた状態の表示具１００の形状を安定した状態で維持することができる。
【００３９】
図５は、実施の形態１における表示具１００を形成するための基となる基礎部材１０６の一例を模式的に示す平面図である。
【００４０】
なお、以下の説明には、必要に応じてＸ軸、Ｙ軸、Ｚ軸を用いる。Ｘ軸は基礎部材１０６の幅方向に平行な軸であり、Ｚ軸は基礎部材１０６の厚み方向に平行な軸であり、Ｙ軸はＸ軸およびＺ軸のそれぞれに直交する軸である。
【００４１】
図５に示すように、基礎部材１０６は、一枚の薄板状の部材である。基礎部材１０６の材質、つまり、表示具１００の材質は、特に限定されない。本実施の形態では、基礎部材１０６の材料（表示具１００の材料）として、例えばボール紙のような、いわゆるこしの有る紙を挙げることができる。または、基礎部材１０６の材料は、紙の表面に樹脂フィルムを付着させた材料や、樹脂がコーティングされた材料等の、複合材料であってもよい。あるいは、基礎部材１０６の材料は、金属の薄板や樹脂フィルム等であってもよい。
【００４２】
基礎部材１０６の下側（図５における下側）の端部には、第一底面部１５１が幅方向（図５に示すＸ軸方向）の全体にわたって配置されている。第一底面部１５１は、表示面部１０１の第二表示面部１１２に接続された一辺が、当該一辺に対向する他辺よりも長い台形形状であってもよい。
【００４３】
表示面部１０１は、基礎部材１０６の幅方向（Ｘ軸方向）の全体にわたって配置され、表示面部１０１の一辺（第二表示面部１１２の一辺）が、第一底面部１５１に、第三山折り線１６３を介して接続されている。また、表示面部１０１では、第二表示面部１１２の当該一辺に対向する他辺が、第一表示面部１１１に、補助谷折り線１６５を介して接続されている。第一表示面部１１１および第二表示面部１１２は、表示面部１０１が矩形形状となるように、ともに矩形形状であってもよい。また、第一表示面部１１１は、第二表示面部１１２よりも大きくてもよい。
【００４４】
背面部１０２は、基礎部材１０６の幅方向（Ｘ軸方向）の全体にわたって配置され、背面部１０２の一辺が、表示面部１０１（第一表示面部１１１）に、第二山折り線１６２を介して接続されている。背面部１０２は、第一表示面部１１１に接続された当該一辺が、当該一辺に対向する他辺よりも長い台形形状であってもよい。
【００４５】
安定面部１０３は、背面部１０２の第一表示面部１１１に接続された当該一辺に対向する当該他辺の中央部に、背面部１０２と同一平面（面一）になるように、接続されている。安定面部１０３の幅（Ｘ軸方向の長さ）は、安定面部１０３の両側に脚部１０４を設けられるように、背面部１０２の幅（背面部１０２の当該他辺の長さ）よりも短い。安定面部１０３は、背面部１０２の一部であってもよい。安定面部１０３は、矩形形状であってもよい。
【００４６】
２つの脚部１０４は、背面部１０２の第一表示面部１１１に接続された当該一辺に対向する当該他辺に、第一谷折り線１６４を介して接続されている。すなわち、２つの脚部１０４は、背面部１０２の当該他辺における、安定面部１０３の両側のそれぞれに、間に安定面部１０３を挟むようにして、接続されている。脚部１０４は、背面部１０２に接続された一辺が、当該一辺に対向する他辺よりも長い台形形状であってもよい。
【００４７】
なお、基礎部材１０６では、幅方向（Ｘ軸方向）に、脚部１０４、安定面部１０３、脚部１０４、の順番で並んで配置される安定面部１０３と２つの脚部１０４とは、切り込みにより互いに分断されている。
【００４８】
第二底面部１５２は、第二底面部１５２の一辺が、脚部１０４に、第一山折り線１６１を介して接続されている。第二底面部１５２は、矩形形状であってもよい。
【００４９】
本実施の形態における表示具１００は、以上のように構成された基礎部材１０６が、山折り線、および、谷折り線に沿ってそれぞれ折り曲げられ、第一底面部１５１と第二底面部１５２とが重ね合わされて接続部材で接続されることで、形成される。
【００５０】
［１−２．効果等］
以上のように、本実施の形態において、表示具は、表示面部と、背面部と、安定面部と、脚部と、底面部と、を備える。表示面部は、起立状態で配置される。背面部は、背面部の上端縁と表示面部の上端縁とが互いに接続され、上端縁から下端縁に向かって表示面部との距離が徐々に拡がるように表示面部の背部に配置される。安定面部は、背面部の下端縁の一部から背面部に沿って下方に突出している。脚部は、背面部の下端縁の他の部分から、背面部よりも緩やかな傾斜で下方に突出している。底面部は、表示面部の下端縁と脚部の下端縁とに接続される。そして、安定面部は、安定面部の下端縁が底面部の上面に当接した状態で配置される。
【００５１】
なお、表示具１００は表示具の一例である。表示面部１０１は表示面部の一例である。背面部１０２は背面部の一例である。安定面部１０３は安定面部の一例である。脚部１０４は脚部の一例である。底面部１０５は底面部の一例である。背面部１０２の下端縁の、安定面部１０３が取り付けられている部分を除く部分は、背面部の下端縁の他の部分の一例である。
【００５２】
例えば、実施の形態１に示した例では、表示具１００は、表示面部１０１と、背面部１０２と、安定面部１０３と、脚部１０４と、底面部１０５と、を備える。表示面部１０１は、起立状態で配置される。背面部１０２は、背面部１０２の上端縁と表示面部１０１の上端縁とが互いに接続され、上端縁から下端縁に向かって表示面部１０１との距離が徐々に拡がるように表示面部１０１の背部に配置される。安定面部１０３は、背面部１０２の下端縁の一部から背面部１０２に沿って下方に突出している。脚部１０４は、背面部１０２の下端縁の他の部分（背面部１０２の下端縁の、安定面部１０３が取り付けられている部分を除く部分）から、背面部よりも緩やかな傾斜で下方に突出している。底面部１０５は、表示面部１０１の下端縁と脚部１０４の下端縁とに接続される。そして、安定面部１０３は、安定面部１０３の下端縁が底面部１０５の上面に当接した状態で配置される。
【００５３】
表示具において、表示面部と背面部、表示面部と底面部、および脚部と底面部とは、それぞれの接続箇所が外向きに凸状態となるように互いに接続されてもよい。また、背面部と脚部とは、接続箇所が内向きに凸状態となるように互いに接続されてもよい。
【００５４】
例えば、実施の形態１に示した例では、表示具１００において、表示面部１０１と背面部１０２、表示面部１０１と底面部１０５、および脚部１０４と底面部１０５とは、それぞれの接続箇所が外向きに凸状態となるように互いに接続されている。また、背面部１０２と脚部１０４とは、接続箇所が内向きに凸状態となるように互いに接続されている。
【００５５】
表示具において、底面部は、第一底面部と第二底面部とを備えてもよい。第一底面部は、表示面部の下端縁に接続され、脚部の方向に延伸して配置されてもよい。第二底面部は、脚部の下端縁に接続され、表示面部の方向に延伸し、第一底面部の下方に重ね合わされて配置されてもよい。安定面部の下端縁部は、第一底面部の端縁と当接してもよく、安定面部の下端縁は、第二底面部の上面に当接してもよい。
【００５６】
なお、第一底面部１５１は第一底面部の一例である。第二底面部１５２は第二底面部の一例である。
【００５７】
例えば、実施の形態１に示した例では、表示具１００において、底面部１０５は、第一底面部１５１と第二底面部１５２とを備える。第一底面部１５１は、表示面部１０１の下端縁に接続され、脚部１０４の方向に延伸して配置される。第二底面部１５２は、脚部１０４の下端縁に接続され、表示面部１０１の方向に延伸し、第一底面部１５１の下方に重ね合わされて配置される。安定面部１０３の下端縁部は、第一底面部１５１の端縁と当接し、安定面部１０３の下端縁は、第二底面部１５２の上面に当接する。
【００５８】
表示具において、表示面部は、第一表示面部と第二表示面部とを備えてもよい。
【００５９】
第一表示面部は、背面部と接続されてもよい。第二表示面部は、底面部と接続されてもよく、第一表示面部と面の方向が異なってもよい。
【００６０】
なお、第一表示面部１１１は第一表示面部の一例である。第二表示面部１１２は第二表示面部の一例である。
【００６１】
例えば、実施の形態１に示した例では、表示具１００において、表示面部１０１は、第一表示面部１１１と第二表示面部１１２とを備える。第一表示面部１１１は、背面部と１０２接続される。第二表示面部１１２は、底面部１０５と接続され、第一表示面部１１１と面の方向が異なる。
【００６２】
表示具において、表示面部と背面部、背面部と脚部、表示面部と底面部、および脚部と底面部とは、それぞれが曲げ戻し可能に互いに接続されてもよい。表示面部の上端縁から下端縁までの長さは、背面部の上端縁から下端縁までの長さと安定面部の上端縁から下端縁までの長さとの和以上であってもよい。
【００６３】
なお、表示面部１０１の上端縁から下端縁までの長さＬ１は、表示面部の上端縁から下端縁までの長さの一例である。背面部１０２の上端縁から下端縁までの長さと安定面部１０３の上端縁から下端縁までの長さとの和Ｌ２は、背面部の上端縁から下端縁までの長さと安定面部の上端縁から下端縁までの長さとの和の一例である。
【００６４】
例えば、実施の形態１に示した例では、表示具１００において、表示面部１０１と背面部１０２、背面部１０２と脚部１０４、表示面部１０１と底面部１０５、および脚部１０４と底面部１０５とは、それぞれ曲げ戻し可能に接続されている。また、表示面部１０１の上端縁から下端縁までの長さＬ１は、背面部１０２の上端縁から下端縁までの長さと安定面部１０３の上端縁から下端縁までの長さとの和Ｌ２以上である。
【００６５】
表示具において、底面部の表示面部から脚部までの長さは、安定面部の上端縁から下端縁までの長さと脚部の上端縁から下端縁までの長さの和以上であってもよい。
【００６６】
なお、底面部１０５における表示面部１０１の下端縁（第二表示面部１１２の下端縁）から脚部１０４の下端縁までの長さＬ３は、底面部の表示面部から脚部までの長さの一例である。安定面部１０３の上端縁から下端縁までの長さＬ４は、安定面部の上端縁から下端縁までの長さの一例である。脚部１０４の上端縁から下端縁までの長さＬ５は、脚部の上端縁から下端縁までの長さの一例である。
【００６７】
例えば、実施の形態１に示した例では、表示具１００において、底面部１０５における表示面部１０１の下端縁（第二表示面部１１２の下端縁）から脚部１０４の下端縁までの長さＬ３は、安定面部１０３の上端縁から下端縁までの長さＬ４と、脚部１０４の上端縁から下端縁までの長さＬ５との和（Ｌ４＋Ｌ５）以上である。
【００６８】
一枚の薄板状の基礎部材の一部において、表示面部が幅方向に延びて配置され、背面部は、表示面部と山折り線を介して接続され、安定面部は、表示面部の反対側の背面部の一部に接続され、脚部は、表示面部の反対側の背面部の他の部分に谷折り線を介して接続され、基礎部材の幅方向に並んで配置される安定面部と脚部とは互いに分断され、底面部は、脚部、または、表示面部の少なくとも一方に山折り線を介して接続されてもよい。そして、表示具は、基礎部材が、山折り線および谷折り線で折り曲げられることにより形成されてもよい。
【００６９】
なお、基礎部材１０６は基礎部材の一例である。第一山折り線１６１、第二山折り線１６２、第三山折り線１６３は、山折り線の一例である。第一谷折り線１６４は谷折り線の一例である。
【００７０】
例えば、実施の形態１に示した例では、一枚の薄板状の基礎部材１０６の一部において、表示面部１０１は幅方向に延びて配置されている。背面部１０２は、表示面部１０１と第二山折り線１６２を介して接続されている。安定面部１０３は、表示面部１０１の反対側の背面部１０２の一部に接続されている。脚部１０４は、表示面部１０１の反対側の背面部１０２の他の部分（背面部１０２の下端縁の、安定面部１０３が取り付けられている部分を除く部分）に第一谷折り線１６４を介して接続されている。基礎部材１０６の幅方向に並んで配置される安定面部１０３と脚部１０４とは互いに分断されている。底面部１０５は、脚部１０４に第一山折り線１６１を介して接続され、表示面部１０１に第三山折り線１６３を介して接続されている。そして、表示具１００は、基礎部材１０６が、各山折り線および谷折り線で折り曲げられることにより形成される。
【００７１】
これにより、一枚の基礎部材１０６から、簡単に表示具１００を組み立てることができる。すなわち、簡単かつ安価に表示具１００を組み立てることができる。
【００７２】
（他の実施の形態）
以上のように、本出願において開示する技術の例示として、実施の形態１を説明した。しかしながら、本開示は、上記実施の形態１に限定されるものではない。例えば、本明細書において記載した構成要素を任意に組み合わせて、また、構成要素のいくつかを除外して実現される別の実施の形態を本開示の実施の形態としてもよい。また、上記実施の形態１に対して本開示の主旨、すなわち、請求の範囲に記載される文言が示す意味を逸脱しない範囲で当業者が思いつく各種変形を施して得られる変形例も本開示に含まれる。
【００７３】
そこで、以下、他の実施の形態を例示する。
【００７４】
例えば、実施の形態１では、基礎部材１０６が、第一底面部１５１と第二底面部１５２とを分かれた状態で備える構成例を説明したが、本開示はこの構成例に限定されない。例えば、基礎部材１０６は一つの底面部１０５を備えていてもよい。
【００７５】
実施の形態１では、第一底面部１５１と第二底面部１５２とが重ね合わされた状態で接続される構成例を説明したが、本開示はこの構成例に限定されない。例えば、表示具１００のいずれか２つの部分が互いに突き合わされた状態で接続されてもよい。
【００７６】
実施の形態１では、表示具１００を、一枚の基礎部材１０６から組み立てる構成例を説明したが、本開示はこの構成例に限定されない。例えば、表示具１００は、表示面部１０１や背面部１０２等のそれぞれに対応する複数のパーツが、可撓性を備えた接続手段で接続されて構成されてもよい。
【００７７】
実施の形態１では、脚部１０４は、背面部１０２の下端縁において、２箇所に設けられる構成例を説明したが、本開示はこの構成例に限定されない。例えば、表示具１００において、脚部１０４は、１箇所に配置されてもよく、あるいは、３箇所以上の複数箇所に設けられてもよい。
【００７８】
実施の形態１では、安定面部１０３は、背面部１０２の下端縁において、１箇所に設けられる構成例を説明したが、本開示はこの構成例に限定されない。例えば、表示具１００において、安定面部１０３は、複数箇所に設けられてもよい。
【００７９】
実施の形態１では、第一底面部１５１と第二底面部１５２とが重なり合わされる構成例を説明したが、本開示はこの構成例に限定されない。例えば、表示具１００において、同一平面（面一）の底面部１０５の一部を切り起こし、当該切り起こし部を安定面部１０３の下端縁に当接させてもかまわない。
【００８０】
また、表示面部１０１、背面部１０２、安定面部１０３、脚部１０４のそれぞれは、平面に限定されるものではなく、曲面等であってもよい。
【００８１】
以上のように、本開示における技術の例示として、実施の形態を説明した。そのために、添付図面および詳細な説明を提供した。
【００８２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８３】
また、上述の実施の形態は、本開示における技術を例示するためのものであるから、特許請求の範囲またはその均等の範囲において種々の変更、置き換え、付加、省略などを行うことができる。
【産業上の利用可能性】
【００８４】
本開示は、店頭や展示会等において商品の説明等を表示する表示具に適用可能である。
【符号の説明】
【００８５】
１００    表示具
１０１    表示面部
１０２    背面部
１０３    安定面部
１０４    脚部
１０５    底面部
１０６    基礎部材
１１１    第一表示面部
１１２    第二表示面部
１５１    第一底面部
１５２    第二底面部
１６１    第一山折り線
１６２    第二山折り線
１６３    第三山折り線
１６４    第一谷折り線
１６５    補助谷折り線
【図１】
2017002303.tif 000003
【図２】
2017002303.tif 000004
【図３】
2017002303.tif 000005
【図４】
2017002303.tif 000006
【図５】
2017002303.tif 000007
【国際調査報告】
2017002303.tif 000008
2017002303.tif 000009